(57)【特許請求の範囲】
【請求項１】
番組情報を参照して複数の番組をジャンル別に分類するジャンル分類部と、
ジャンル別に分類された複数の番組を放送の曜日別に分類する曜日分類部と、
指定されたジャンルの番組表を表示するためのデータ制御を行う表示形態制御部であって、
前記曜日別に分類された複数の番組の番組情報記述セルを、表示器の曜日別の表示領域に仕分けし、
指定された曜日の表示領域の番組情報記述セルがスクロールされるときは他の曜日の表示領域の番組情報記述セルの配置が静止した状態で表示されるようにデータ制御する、
表示形態制御部と、を備える電子機器。
【請求項２】
表示形態制御部は、
同一シリーズ番組に関しての番組情報をそれぞれ記述した複数の番組情報記述セルが存在する場合は、当該複数の番組情報記述セルを重ねて表示する重ね表示処理部と、
前記重ね状態を展開して表示する展開表示処理部と、
前記重ね表示と展開表示を切換える切換え部と、を備える請求項１記載の電子機器。
【請求項３】
前記表示形態制御部は、
１つの前記番組情報記述セルに記述される文字数が所定の行数内に収まるように編集する、請求項１記載の電子機器。
【請求項４】
表示形態制御部は、
ある曜日の表示領域に複数の番組情報記述セルが存在する場合は前記複数の番組情報記述セルの間隔が詰めて表示されるようデータ制御する、請求項１記載の電子機器。
【請求項５】
表示形態制御部は、
前記番組情報記述セルの表示領域とは異なる表示領域に、リモートコントローラのボタンと、このボタンを操作することで得られる動作状態（振る舞い）を記述したメッセージと、の表示領域を備える、請求項１記載の電子機器。
【請求項６】
表示形態制御部は、
前記番組情報記述セルの１つがカーソルにより指定された場合、前記番組情報記述セルの表示領域とは異なる表示領域に、指定された前記番組情報記述セルに対応する番組の詳細な番組情報が表示されるようデータ制御する、請求項１記載の電子機器。
【請求項７】
前記表示形態制御部は、
１つのジャンルに特定された前記番組表の表示モードを有する、請求項１記載の電子機器。
【請求項８】
前記表示形態制御部は、
第１と第２のジャンルを含む前記番組表の表示モードを有する、請求項１記載の電子機器。
【請求項９】
表示形態制御部は、
曜日と時間帯が示された前記番組表が表示され、かつ、ある曜日の表示領域に複数の番組情報記述セルが存在する場合は、前記複数の番組情報記述セルが対応する番組の放送時間帯に合わせて表示されるようにデータ制御する、請求項１記載の電子機器。
【請求項１０】
番組情報を処理する番組情報処理部を有する電子機器による表示方法において、
前記番組情報を参照して複数の番組をジャンル別に分類し、
ジャンル別に分類された複数の番組を放送の曜日別に分類し、
前記曜日別に分類された複数の番組の番組情報記述セルを、表示器の曜日別の表示領域に仕分けし、
指定された曜日の表示領域の番組情報記述セルがスクロールされるときは他の曜日の表示領域の番組情報記述セルの配置が静止した状態で表示されるようにデータ制御する、
電子機器による表示方法。
【発明の詳細な説明】
【技術分野】
【０００１】
この実施形態は、電子機器、電子機器による表示方法に関する。
【背景技術】
【０００２】
大容量の記録再生装置が接続可能なテレビジョン装置が販売されている。このテレビジョン受信装置は、該記録再生装置に対して、放送される複数のチャンネルの番組を、複数日に渡って記録することができる。このテレビジョン装置により、複数日に渡って複数のチャンネルの番組が記録再生装置に記録された場合、膨大な数の番組が該記録再生装置に格納される。
【０００３】
しかし、記録再生装置に膨大な数の番組が記録された場合、ユーザは、視聴したい希望の番組を探す場合、困難を伴う。
【０００４】
このような不便を改善するために、番組情報を利用し、番組をジャンル別に分類する装置が提案されている。この装置は、ユーザが、番組リストの表示方法をメニューから選択することを許容している。このテレビジョン装置において、「ジャンル別表示」が指定されると、複数のジャンル（スポーツ、ニュース、ドラマ・・・など）のジャンル別リストが表示される。ユーザは、ジャンル別リストの中から所望のジャンル、例えばスポーツを指定すると、スポーツ番組に関する複数の番組名のリストが表示される。ユーザは、所望の番組を指定して、視聴することができる。
【先行技術文献】
【特許文献】
【０００５】
【特許文献１】特開２００７−１８０９６７号公報
【特許文献２】特開２００１−３１３８７８号公報
【発明の概要】
【発明が解決しようとする課題】
【０００６】
上記しように、膨大な数の番組を記録・再生できるテレビジョン装置（所謂電子機器）においては、ユーザが、再生して視聴したい番組を、記録装置に記録された多数の番組の中からどのように容易に簡単に見つけ得るかが課題である。しかし、ユーザが視聴したい番組を、記録装置に記録されている多数の番組の中から容易に検出するための手段、方法のさらなる改善が要望されている。
【０００７】
本実施形態は、記録再生装置に記録された多数の番組の中から所望の番組を一層容易・簡単に見つけることができる、電子機器、電子機器による表示方法を提供することを目的とする。
【課題を解決するための手段】
【０００８】
一実施形態によれば、番組情報を参照して複数の番組をジャンル別に分類するジャンル分類部と、ジャンル別に分類された複数の番組を放送の曜日別に分類する曜日分類部と、
指定されたジャンルの番組表を表示するためのデータ処理を行う表示形態制御部であって、前記曜日別に分類された複数の番組の番組情報記述セルを、表示器の曜日別の表示領域に仕分けし、指定された曜日の表示領域の番組情報記述セルがスクロールされるときは他の曜日の表示領域の番組情報記述セルの配置が静止した状態で表示されるようにデータ処理する、表示形態制御部と、を備える。
【図面の簡単な説明】
【０００９】
【図１】図１は、一実施形態が適用されたテレビジョン装置の概略構成例を示す図である。
【図２】図２は、リモートコントローラの一例を示す平面図である。
【図３】図３は、図１の番組情報処理部２３１が備える機能ブロックの一例を示す構成説明図である。
【図４】図４は、一実施形態の代表的な動作例を説明するために示したフローチャートである。
【図５】図５は、番組表を表示する前にジャンル選択を行うためのジャンル選択メニューの例を示す図である。
【図６】図６は、実施形態において、ドラマに関する過去番組表が表示された一例を示す図である。
【図７】図７は、実施形態において、カラムの複数の番組情報記述セルが上下にスクロールされる動作例を説明する図である。
【図８】図８は、表示形態制御部２３１２の構成例とその動作例を示す図である。
【図９】図９は、図６に示したボタン１３７４が操作されて、ジャンル切換えが実行されたとき、番組表が変化する様子を示す図である。
【図１０】図１０は、図６の操作ボタン１３７５が操作された場合に表示される通常番組の表示例を示す図である。
【図１１】図１１は、テレビジョン装置１００１の初期設定時に、番組が分類されるジャンルをユーザが決めるためのメニューの例を示す図である。
【図１２】図１２は、番組表の表示形態を設定するためのメニューの例を示す図である。
【図１３】図１３は、表示器として携帯端末が利用される他の実施形態を示す図である。
【図１４】図１４は、番組表の表示形態として他の例を示す図である。
【図１５】図１５は、番組表の表示形態としてさらに他の例を示す図である。
【図１６】図１６は、再生形態制御部の制御に基づいて、レジューム再生が行われるときの動作例を示す図である。
【発明を実施するための形態】
【００１０】
以下、実施の形態について図面を参照して説明する。  
図１は、一実施形態が適用されたテレビジョン装置１００１の構成例を示すブロック図であり、テレビジョン装置は、例えばスクランブルされたデジタル地上波放送信号を受信する複数のチューナを含むデジタルチューナ装置１０２を有する。デジタルチューナ装置１０２は例えばＢＳ／ＣＳデジタル放送受信用のチューナ（図示せず）を含んでも良い。
【００１１】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１２】
記憶装置１１１は、例えば、ハードディスクドライブ、光ディスク記録再生装置を含む。光ディスクにはデジタルバーサタイルディスク（ＤＶＤ），ブルーレイ（登録商標）ディスク（ＢＤ）などが含まれる。
【００１３】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table)等を含む。
【００１４】
パケットに含まれる画像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００１５】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１６】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００１７】
なお、有料番組のオーディオパケット、画像パケットが暗号化されている場合もある。この場合、鍵情報を用いて暗号化を解くための処理系統もあるがここでは省略している。
【００１８】
制御部２００は、中央演算処理ユニット（ＣＰＵ）２０１、操作コマンド処理部２０２、通信制御部２０３、デバイス管理部２０４、表示処理部１２１、メモリ２１１を含む。さらにＥＰＧ(Electric program guide)データ取り込み部を含むがここでは示していない。
【００１９】
制御部２００は、番組情報処理部２３１、自動記録装置２３２を含む。番組情報処理部２３１は、番組情報を各種の形態に分類して仕分けることができる。番組情報処理部２３１の詳細は、後で詳しく説明する。自動記録装置２３２は、タイムシフト録画装置と称されても良い。自動記録装置２３２は、記憶装置１１１を制御し、放送される複数のチャンネルの番組を、複数日に渡って該記憶装置１１１に記録することができる。また制御部２００には、再生形態制御部２３３が設けられている。この再生形態制御部２３３は、タイムシフト録画した番組の再生動作を制御することができる。この再生動作については、後述することにする。
【００２０】
ＣＰＵ２０１は、制御部２００の全体の動作シーケンスの調整を行っている。操作コマンド処理部２０２は、外部から入力する操作コマンドを解析し、コマンドに応じた動作をテレビジョン装置５００に反映させることができる。デバイス管理部２０４は、制御部２００に対して操作信号を与える携帯端末７００、リモートコントローラ４００などのデバイス識別データを把握し、管理することができる。
【００２１】
表示処理部１２１は、画像出力部１３３を介して表示器１３４に表示される画像信号を全般的に制御することができる。また表示処理部１２１は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００２２】
メモリ２１１は、制御部２００内で保存する各種のデータ、アプリケーションなどを保存することができる。またメモリ２１１は、不揮発性メモリを含み、通信のためのアドレスデータ、機器固有情報（ＴＶ固有ＩＤ）などを格納している。
【００２３】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、テレビジョン装置１００１から外部に向けて、データ、コンテンツ、などを送信することができる。
【００２４】
また、通信制御部２０３は、無線通信送受信部（通信器と称しても良い）１１３、有線通信送受信部１１２及び、ＬＡＮ送受信部１１５と接続されている。有線通信送受信部（通信器と称しても良い）１１２は、インターネットを介して、遠隔サーバ、或いはホームサーバとの間でデータの送受信を行うことができる。無線通信送受信部１１３は、携帯端末７００との間でデータの送受信を行うことができ、近距離通信用である。ＬＡＮ送受信部１１５は、例えば家庭内の他のテレビジョン装置、記録再生装置、セットトップボックス、家庭内サーバと接続されている。また、テレビジョン装置１００１は、リモートコントローラ４００からの操作信号を、赤外線受信部１１４を介して受け取ることもできる。
【００２５】
携帯端末７００は、テレビジョン装置１００１をリモートコントロールすることができる。携帯端末７００は、図示しない基地局、インターネットなどを介してサーバをアクセスすることができる。携帯端末７００は、サーバが提供するコンテンツは勿論のこと、各種のアプリケーション、ゲームソフトなどをダウンロードし、無線通信送受信部１１３を介して、制御部２００に転送することが可能である。
【００２６】
また携帯端末７００は、コンテンツを取得するための情報（例えばウェブサーバのアドレス、メールアドレス、ネットワークアドレスなど）を、無線通信送受信部５５１３を介して、制御部２００に転送することが可能である。
【００２７】
携帯端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００２８】
表示用のメニュー画像信号、番組表画像信号などは、表示処理部１２１に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００２９】
表示用のメニュー画像信号、番組表画像信号などは、携帯端末７００に送信されることもできる。携帯端末７００がメニュー画像信号、番組表画像信号など要求した場合、表示処理部２１２は、メニュー画像信号、番組表画像信号を携帯端末７００へ送信することができる。
【００３０】
携帯端末７００は、メニュー画像信号、番組表画像信号をタッチ式パネルの画面に表示することができ、ユーザは、タッチ（或いはポイント）式パネルの画面に表示された操作ボタンに触れることにより、テレビジョン受信装置１００１に動作指令信号を与えることができる。
【００３１】
図２は、リモートコントローラ４００の外観を示す図である。このリモートコントローラ４００には、主として、カーソルキー４００Ａ、決定キー４００Ｂ、ページ戻りキー４００Ｃ、ページ進みキー４００Ｄ、タイムシフトキー４００Ｅ等が設けられている。
【００３２】
カーソルキー４００Ａは、後述する番組表や日時指定ジャンプテーブル等で指定領域（フォーカス）を遷移させるために設けられている。決定キー４００Ｂは、指定領域を決定するために設けられている。ページ戻りキー４００Ｃおよびページ進みキー４００Ｄは、番組表や日時指定ジャンプテーブル等の表示範囲を変更するために設けられている。
【００３３】
タイムシフトキー４００Ｅは、録画方法により同時録画した番組を表示する番組表を表示させるためのキーである。タイムシフトキー４００Ｅを押下操作することで、例えば番組表を表示器１３４の表示画面上に表示させる。ここで、装置は、表示画面から指定された番組の再生を行うことが可能な所謂タイムシフトモードに入る。
【００３４】
リモートコントローラ４００には、さらに番組表の表示を指示するための「番組表」と記載されたボタンが設けられてもよい。
【００３５】
図３は、図１に示した番組情報処理部２３１が有する機能ブロックを示している。番組情報処理部２３１は、記憶装置１１１に記録されている多数の番組を仕分けした分類テーブルを生成することができる。
【００３６】
番組情報処理部２３１は、番組情報分類部２３１１を含む。番組情報分類部２３１１は、番組情報を用いて、ジャンル別に番組を分類することができる。番組情報処理部２３１１は、ＥＰＧデータを取得するＥＰＧデータ取得部２３２２と、ジャンル分類部２３２３を有する。ＥＰＧデータは、記憶装置１１１に記録した番組の番組情報である。この番組情報は、過去の放送番組の番組表を表すことができる。ジャンル分類部２３２２は、ＥＰＧデータを参照して、番組をジャンル毎に分類する。ジャンルは、番組情報に含まれる番組名から判断されたり、ジャンル指定記述から判断される。
【００３７】
ジャンル分類部２３２２は、単独曜日に放送される番組を分類する曜日分類部２３３２、毎日放送分類部２３３３、月曜〜土用放送分類部２３３４、月曜〜金曜放送分類部２３３５、月曜〜木曜放送分類部２３３６、お好み放送分類部２３３７、その他放送分類部２３３８などを備える。なお月〜日の曜日の区分の仕方は、上記の例に限定されるものではない。
【００３８】
上記の曜日分類部２３３２は、ジャンル毎に分類された放送番組を、放送された曜日（月曜から日曜）に仕分けする。さらに、仕分けされた各曜日の番組は、その番組情報に関して、時系列及び放送種別配列部２３４により配列順序（配列優先順位）が設定される。例えば、スポーツジャンルにおいて、火曜日に属する、番組ＰＡ、番組ＰＢ，番組ＰＣ、・・・が仕分けされたとする。ここで、番組ＰＡ、番組ＰＢ，番組ＰＣ、・・・は、放送時間帯にずれがあるものとすると、時系列及び放送種別配列部２３４により番組の配列順位は、放送開始時刻が早い番組から順次に設定される。但し、放送種別が同じ（例えば地上デジタル放送）において、異なるチャンネルの番組が複数存在した場合は、この複数の番組は、例えばチャンネル番号の小さい順で配列される。
【００３９】
また、例えば、番組ＰＡ、番組ＰＢ，番組ＰＣ、・・・は、放送種が、地上デジタル放送、ＢＳ放送、ＣＳ放送のように異なる種類であったとすると、例えば地上デジタル放送、ＢＳ放送、ＣＳ放送の順位で、配列順位が設定される。
【００４０】
即ち、この例ではスポーツジャンルにおいて、火曜日に属する番組が、ソートキーの優先順位の高い方から順に、ソートキー１：放送種（優先度の高い方から地上＞ＢＳ＞ＣＳ）、ソートキー２：チャンネル番号（小さい順）、ソートキー３：放送開始時刻（早い順）、でソートされた順でソートされ上から並べられる。
【００４１】
なお、配列順序（配列優先順位）は、優先順位設定手段により、任意に切換え或いは設定することができるので、上記した配列順序に限定されるものではない。
【００４２】
さらに、番組情報処理部２３１は、表示形態制御部２３１３を含む。表示形態制御部２３１３は、番組情報分類部２３１１が分類した番組の番組情報を表示器１３４で表示するために、表示仕様を設定している。表示形態制御部２３１３は、複数ジャンル名出力部２３５１、番組情報編集出力部２３５２、レイアウト部２３５６、スクロール部２３６７等を有する。
【００４３】
複数ジャンル名出力部２３５１は、複数のジャンル名を表示するための機能ブロックである。ユーザは、複数のジャンル名が表示器１３４に表示されたとき、希望するジャンルの番組表の表示を選択することができる。
【００４４】
番組情報編集出力部２３５２は、各番組の番組情報を短縮した案内記述に編集し、各番組の案内記述を番組情報記述セルとして作成して出力することができる。番組情報記述セルは、番組表を形成するために利用される。
【００４５】
レイアウト部２３５６は、番組表が表示器１３４に対して配列される形態（フォーマット）を生成する。これにより、  
曜日別に分類された複数の番組の番組情報記述セルが、表示器の曜日別の表示領域に仕分けして表示される、  
またある曜日の表示領域に複数の番組情報記述セルが存在する場合は前記複数の番組情報記述セルの間隔が詰めて表示される、
また指定された曜日の表示領域の番組情報記述セルがスクロールされるときは、他の曜日の表示領域の番組情報記述セルの配置を静止した状態で表示される、
さらにまた１つの番組情報記述セルに記述される文字数が所定の行数内の収まるように編集され多状態で表示される。
【００４６】
前記１つの番組情報記述セルに記述される文字数を所定の行数内の収まるように編集するのは、番組情報編集出力部２３５２である。また前記指定された曜日の表示領域の番組情報記述セルがスクロールされるとき、他の曜日の表示領域の番組情報記述セルの配置を静止した状態とするのは、スクロール部２３５７である。
【００４７】
また上記の表示形態制御部２３１２は、切換え制御部２３５８を有する。そしてこの切換え制御部２３５８は、同一シリーズ番組に関する複数の番組情報記述セルが存在する場合は、当該複数の番組情報記述セルを重ねて表示する重ね表示処理部２３６１と、前記重ね状態を展開して表示する展開表示処理部２３６２と、前記重ね表示と展開表示を切換える切換え部２３６３とを備える（番組情報記述セルの重ね表示と展開表示は、図８に例示している）。
【００４８】
また、番組情報処理部２３１と並列に、再生形態制御部２３３が存在する。この再生形態制御部２３３は、レジューム再生として各種のタイプのレジューム再生を実行させることができる。再生形態制御部２３３は、各種レジューム再生制御部２３１１を有し、たとえば、常に番組の最初から再生する動作モード、或いは一部視聴された番組の途中（未聴部分のスタート位置）から再生するモードなど、を実施することができる。
【００４９】
図４は、上記した番組情報処理部２３１の一動作例を簡単に説明するためのフローチャートである。本実施形態の記憶装置１１１によると、例えば複数のチャンネルの番組を例えば１週間〜４週間程度格納することができる。そして録画された古い番組は、古い順に自動的に消去することができる。また、ユーザが特別に消去指定した番組は消去される。但し、ユーザが特別に保存指定した番組は、消去することなく４週間以上保存される場合がる。
【００５０】
古い番組の削除があった場合は記憶装置１１１に記憶されている過去番組表は更新される必要がある。番組情報処理部２３１は、例えば記憶装置１１１に保存されている番組情報を取得する（ステップＳＡ１，ＳＡ２）。番組情報は、ＥＰＧデータと称されてもよい。
【００５１】
次に、番組情報を用いて、番組のジャンル別分類が実行される（ステップＳＡ３）。さらに各ジャンルの番組を月曜〜日曜の放送番組に分類する。これにより、図３で説明した分類部２３３２−２３３８において仕分けした番組のテーブルが出来上がる。即ち、毎日放送される番組を集合したテーブルが形成される（ステップＳＡ５）。また、月曜〜土曜のうち何れかの曜日に１回放送される番組と、月曜〜土曜の中で複数回放送される番組を仕分けしたテーブルが形成される（ステップＳＡ６）。さらにお好み指定されている番組を仕分けしたテーブルも形成される（ステップＳＡ７）。そして新しく更新された番組表の情報テーブルは、再度記憶装置１１１の媒体に格納される（ステップＳＡ８）。なお、お好み指定の番組は、例えば、視聴履歴、録画履歴から検出し、個人の好みの番組を時系列で表示する。但し、視聴履歴、録画履歴などから検出した番組は、次回の検索条件から外す機能を持つ。
【００５２】
図５は、タイムシフト記録された番組の過去番組表を表示する前に、ジャンル選択を行うためのメニューの一例を示している。例えばリモートコントローラ４００の「番組表」と記載されたボタンがプッシュされると、図５のメニューが表示される。このメニューには、例えば「番組表の番組のジャンルを指定してください」と言うようなメッセージが表示される。また表示領域１３４１に、各種のジャンル名が表示される。
【００５３】
ユーザは、リモートコントローラ４００を操作し、カーソルを移動させて、例えば「ドラマ」、「ニュース」、「スポーツ」、「バラエティー」、「教育」、「映画」、「音楽」などのジャンル名の何れか１つを選択して、決定ボタンをプレスする。図５の例は、「ドラマ」が指定されたものとして示している。
【００５４】
なお上記例は１種類のジャンルを選択するメニューとして示されている。しかし、メニューの表示領域１３４１の中に複数のジャンル（例えばスポーツとニュースの組み合わせ、或いはドラマと映画の組み合わせなど）を設定した領域が表示されてもよい。
【００５５】
図６は、ジャンル「ドラマ」に関する番組の番組表が表示された状態を示している。表示器１３４の上の領域１３５１には、例えばタイトルとして「タイムシフトマシン週間過去番組表」の記述が表示される。また「ジャンル  ドラマ」の記述が表示される。その他、本日の日付の記述が表示される。
【００５６】
また表示器１３４の画面において、カラムが領域が確保される領域は、左側の領域１３４Ａと右側の領域１３４Ｂに大きく分けられている。左側の領域１３４Ａのカラムには、各曜日のみに放送される番組の番組情報記述セルが配列され、右側の領域１２４Ｂのカラムには、曜日と曜日間で連続性をもつ番組の番組情報記述セルが配列される。
【００５７】
領域１３５２には、曜日、「火」「水」「木」「金」「土」の記述が横方向（左から右方向）へ並べて表示される。更に加えて、「毎日」「月〜土」「お好み」の記述が横方向へ並べて表示される。なお、各曜日単独の他、「月〜金」「月〜土」、「毎日」等詳細に分類を分けると横方向の列が長くなってしまうので、変形例としては週に２回以上放送される番組を「週２回以上」という記述で１列にまとめて表示するようにしてもよい。こうすることにより列を短くすることができるという効果を得ることができる。
【００５８】
図６では、曜日の記述が「火」から開始しているが、リモートコントローラ操作により「月」も表示することができる。ユーザがリモートコントローラ４００を操作し、カーソルを領域１３５２の一部に移動させて左方向の矢印ボタンを操作することで「月」のカラムが表示される。
【００５９】
各曜日のカラムの領域には、曜日分類された番組の番組情報記述セルが配列される。例えば「火」の曜日のカラムには、火曜日のみに放送される番組に関する番組情報記述セル１３６１，１３６２，１３６３・・・・１３６ｎが画面上部側から下部側に順次配列されている。また「金」曜日のカラムには、金曜日のみ放送される番組の番組情報記述セル１３８１，１３８２，１３８３が画面上部側から下部側に順次配列されている。なお「水」、「木」、「日」のカラムはブランクとなっているが番組情報記述セルを省略している。
【００６０】
また、曜日「毎日」のカラムには、曜日の連続性を持って毎日放送される番組の番組情報記述セル１３８５（重ね番組情報記述セルと称してもよい）が配列される。また「月〜土」のカラムには、月曜から土曜の曜日の間で、例えば２日或いは３日間連続性を持って放送される番組の番組情報記述セル１３８７，１３８８、１３８９が配列される。なおこの例では、「月〜土」のカラムを示しているが、「月〜金」「月〜木」「水〜金」などのような曜日連続性を持つ番組の分類を行って、各分類したカラムを設けてもよいことは勿論である。しかし、「月〜土」曜日に関して、あまり多くの細分化が行われると、表示器の横方向に、カラム数が増え、番組情報記述セルが小さくなるので、任意に設定する必要がある。
【００６１】
本実施形態では、ジャンル毎に番組表を生成している。そしてこの番組表を形成する番組情報記述セルは、月曜〜日曜の番組を１週間以上の規模で、１画面に示すことができる。しかも番組情報記述セルは、放送開始時刻が早い番組から順次に配列される。更に又例えば、番組ＰＡ、番組ＰＢ，番組ＰＣ、・・・は、放送種が、地上デジタル放送、ＢＳ放送、ＣＳ放送のように異なる種類であったとすると、例えば地上デジタル放送、ＢＳ放送、ＣＳ放送の順位で、配列される。この配列順位は、時系列及び放送種別配列部２３４により設定される。
【００６２】
上記のような番組情報（番組情報記述セル）の配列により、月曜〜日曜のジャンルが特定されている番組を１週間以上（例えば１ヶ月或いは２ヶ月程度）の規模で、１画面に示すことができるという特徴を備える。このために、ユーザは、視聴希望番組を容易に見つけることができる。
【００６３】
一実施形態では、番組表の一覧性を向上するために、各曜日のカラムに配列される複数の番組情報記述セルは、上下間隔が空かないように、カラム内で画面上に詰めて配置される。この配置処理は、レイアウト部２３５６により実行される。この処理は本実施形態の特徴の１つでもある。
【００６４】
本実施形態では、番組情報記述セルをカラム内で出来るだけ多く配列できるように、番組情報記述セルに番組情報が記述される場合、記述される文字数が所定の行数内に収まるように編集している。この編集は、番組情報編集出力部２３５２が実施する。この編集処理も本実施形態の特徴の１つである。しかしユーザは、番組情報の詳細を知りたい場合もある。
【００６５】
この場合は、番組情報の詳細を希望する番組情報記述セルにカーソルを移動させて、画面の下部の領域１３７０を見ることで番組情報の詳細を知ることができる。図６において、番組情報記述セル１３６１の枠は、この位置にカーソルが位置するために太線で示されている。なおカーソルの位置は、番組情報記述セルの色が他の部分と異なる色であってもよい。本実施形態では、番組表を形成する番組情報記述セルにカーソルが位置した場合、画面の下部の領域１３７０に示すように、当該番組情報記述セルに記述されている番組情報の詳細内容を見ることができる。番組情報としては、番組の放送チャンネル、放送の種別、番組名、放送日時などの情報がある。この領域１３７０の記述は、記述量が多い場合、自動的にスクロールしてもよい。
【００６６】
さらにまた、番組情報記述セル１３６１が例えば複数個重ね合わせられたセルの場合、領域１２７０には、重ね合わせ表示であることを示すマーク１３７０ａが表示される。このように、番組情報記述セル１３６１のように、セルが重ね合わせ表示される場合、例えば、シリーズドラマの番組が例えば火曜日に同一チャンネルで毎週放送されるような場合である。また、再放送により同一である前記シリーズドラマの番組が別の曜日に放送された場合は、この重ね合わせ表示状態となる。但し、再放送の番組は、本放送番組の録画ミスがあったときに、録画されることが望ましい。
【００６７】
さらにまた、領域１３７０の下部には領域１３７１が確保されている。この領域１３７１には操作を案内するボタン情報とメッセージが記述されている。リモートコントローラ４００の例えばボタン１３７２をプッシュすると横スクロールが得られることを提示し、ボタン１３７３をプッシュすると番組スクロールが得られることを提示し、ボタン１３７４をプッシュすると番組のジャンルを切換えて番組表を表示できること提示し、ボタン１３７５をプッシュすると通常番組表を表示できることを提示している。横スクロールは、例えば、「月」のカラムを表示させるとき利用される。このときはカーソルが例えば「火」の部分に位置する。なおボタン１３７２、１３７３、１３７４、１３７５などは、例えば色により区分されている。区分方法は、各種の実施形態が可能であり、数字、文字、マーク或いは形状により区分されてもよい。
【００６８】
上記のように表示領域１３７１は、番組情報記述セルの表示領域とは異なる表示領域に、リモートコントローラ４００の特定のボタンと、このボタンを操作することで得られるであろう装置の動作状態（振る舞い）を記述したメッセージと、を表示し、操作の利便性を向上している。さらにこの表示領域１３７１には、番組情報記述セルの配列順序を切り替える切り替えボタンと、その案内メッセージを表示してもよい。
【００６９】
上記の実施形態は、１つのジャンル毎に過去番組表が表示されるものとして説明した。しかし、他の実施形態としては、複数のジャンル（第１と第２のジャンル）を含む番組表を同時表示してもよいことは勿論である。この場合は、例えば、図５のメニューの表示領域１３４１の中に複数のジャンル（例えばスポーツとニュース、或いはドラマと映画など）を設定した領域が表示されることになる。
【００７０】
上記した実施形態によると、ジャンル分類部２３２３が番組情報を参照して複数の番組をジャンル別に分類し、曜日分類部２３２３が、ジャンル別に分類された複数の番組を放送の曜日別に分類する。そして、表示形態制御部２３１２が、曜日別に分類された複数の番組の番組情報記述セルを、表示器の曜日別の表示領域に仕分けする、また表示形態制御部２３１２は、１つの番組情報記述セルに記述される文字数が所定の行数内の収まるように編集或いは区切って表示する。記述内容は、番組名だけの場合もあり得る。さらにまた、ある曜日の表示領域に複数の番組情報記述セルが存在する場合は前記複数の番組情報記述セルの間隔を詰めて表示する。これにより、カラム内に多数の番組情報を提供することができる。
【００７１】
さらにまた、番組表において、番組情報記述セルの１つがカーソルにより指定された場合、番組情報記述セルの表示領域とは異なる表示領域１３７０に、指定された前記番組情報記述セルに対応する番組の詳細な番組情報が表示される。また番組情報記述セルの表示領域とは異なる表示領域１３７１に、リモートコントローラ４００のボタンと、このボタンを操作することで得られる動作状態（振る舞い）を記述したメッセージを表示することができる。
【００７２】
また図６に示した番組表は、１つのジャンルに特定された番組表の表示モードで示したが、本電子機器は、第１と第２のジャンル（複数のジャンル）を含む番組表の表示モードを得ることもできる。上記のように、本実施形態では、番組情報分類部２３１１、表示形態制御部２３１２が効果的にデータ制御し、ユーザが過去番組の番組をサーチすることを簡単化している。
【００７３】
図７は、例えば「月」のカラムの複数の番組情報記述セル（それぞれのセルは、短く編集された番組情報が記述されている）が上下にスクロールされる例を示している。図７の例ｅｘ１は，番組情報記述セルＡＡＢ５〜番組情報記述セルＡＡＢ１２、番組情報記述セルＡＡＡ０、ＡＡＡ１が表示された状態を示している。
【００７４】
図７の例ｅｘ１において、矢印画像１３９１は、リモートコントローラ４００の下向きの矢印を操作可能であることを意味する、つまり画面の下部に番組情報記述セルが存在することを示している。図７の例ｅｘ１において、リモートコントローラ４００の下向きの矢印のボタンが例えば１回プッシュされたとする。すると、図７の例ｅｘ１の状態から、番組情報記述セル全体が、画面の上方向へ１ブロック移動し、図７の例ｅｘ２の状態となる。つまり、番組情報記述セルＡＡＢ７〜番組情報記述セルＡＡＢ１２、番組情報記述セルＡＡＡ０、ＡＡＡ１、ＡＡＡ２が表示された状態となる。ただし、この場合、番組情報記述セルＡＡＢ６は、矢印画像１３９２により隠されている。
【００７５】
図７の例ｅｘ２の矢印画像１３９１，１３９２は、それぞれ画面の下部、上部に番組情報記述セルが存在することを示唆している。
【００７６】
今ユーザが、図７の例ｅｘ２の状態において、リモートコントローラ４００の下向きの矢印のボタンを押し続けたとする。すると、例えば番組情報記述セルＡＡＢ１０〜番組情報記述セルＡＡＢ１２、番組情報記述セルＡＡＡ０、ＡＡＡ１、ＡＡＡ２、・・・ＡＡＡ６が表示された状態となる。ここで、最下段の番組情報記述セルＡＡＡ６の部分には、矢印画像が無く、番組情報記述セルＡＡＡ６の色が例えば黄色に着色され、他の番組情報記述セルの色と異なる色に変化する。このことは、下方向に配列されている番組情報記述セルは、ＡＡＡ６が最後であることを意味する。つまりスクロールによる移動が、限度（これ以上スクロールできない状態）になったとき、最端の番組情報記述セルの色が他のセルの色と異なる。これによりユーザ操作の利便性を向上している。
【００７７】
上記のように、表示形態制御部２３１２のデータ制御により、指定された曜日（上記の例では月）の表示領域の番組情報記述セルがスクロールされるときは、他の曜日の表示領域の番組情報記述セルの配置は静止した状態で表示される。つまり操作するカラムのセルだけがスクロールする。この点は、他のカラムの情報イメージをいつでも見ることができる状態に維持しており、本実施形態の特徴でもある。
【００７８】
図８は、表示形態制御部２３１２のさらなる構成例を示している。表示形態制御部２３１２は、同一シリーズ番組に関しての番組情報をそれぞれ記述した複数の番組情報記述セルが存在する場合は、重ね表示処理部２３６２と展開表示処理部２３６３と切換え部２３６１とにより表示形態を切換えることができる。即ち、図８の例は、例えば図６の番組情報記述セル１３８５（この場合は、重ね番組情報記述セルと称しても良い）の部分を代表して示している。この番組情報記述セル１３８５は、複数の番組情報記述セルが重ね表示されている。たとえば、同一シリーズ番組に関しての番組情報をそれぞれ記述した複数の番組情報記述セルが生じた場合は、重ね表示処理部２３６２が重ね表示を行う。例えば毎日放送される同一時間で同一番組名のニュース番組などは、１ヶ月の間の多数の番組情報記述セルが生成される。このような場合は、重ね表示を行う方が、表示領域が有効に使用される。しかしユーザは、最前面の番組情報だけでなく、前日や、前々日の番組情報を見たい場合がある。このような場合、ユーザはこの番組情報記述セル１３８５にカーソルを合わせて、特定のボタンをクリックすることにより、複数の番組情報記述セル例えばa1-a4を展開して見ることができる。番組情報記述セルが展開している状態で、再度特定ボタンをクリックすると、重ね表示状態に戻すことができる。
【００７９】
図９は、図６に示したボタン１３７４が操作されて、ジャンル切換えが実行されたとき、番組表が変化する様子を示している。図の例は、ドラマ、ニュース、スポーツ、バラエティー、教育、映画、音楽、ドラマとサイクリックに番組表がジャンル別に切り替えられる様子を示している。
【００８０】
図１０は、図６の操作ボタン１３７５が操作された場合に表示される通常の過去番組の表示例を示している。通常の過去番組の画像では、ジャンルは特定されず、画面の上部に、項目「タイムシフトマシン過去番組表」、番組の日時、本日の日付などが表示される。そして表示領域１４３１には、複数のチャンネル番号が左から右に記述され、表示領域１４３１の下側の表示領域１４３２には、チャンネル番号に対応してたとえば放送局名が表示される。
【００８１】
また表示器１３４の画面の左側の列（領域１４３２）と、右側の列（領域１４３３）には、番組の時間帯を表す時刻が記述されている。各チャンネルの下部に延在するそれぞれのカラムには、時間帯に応じて番組情報が記述されている。この番組表においても、下部の領域１４３４には、操作ガイドが表示される。即ち、リモートコントローラ４００のボタンと、このボタンを操作したときに電子機器が振舞うであろうメッセージが表示される。通常の過去番組の場合は、画面に表示されている日時及び時間帯と異なる日時及び時間帯の番組を探す場合は、ページ切り替え或いはスクロールにより前記異なる日時及び時間帯の番組情報を表示させる必要がある。
【００８２】
図１１は、テレビジョン装置１００１の例えば初期設定時に、番組が分類されるジャンルをユーザが決めるためのメニューの例を示している。例えば初期設定メインメニューにおいて、「番組表」が選択され、次に「分類」が選択されると、図１１のメニューが表示される。このメニューには、「スポーツ」、「情報」、「ドラマ」・・・などの項目が含まれる。図１１の例は、ユーザが「スポーツ」の項目を選択し、チェックマークを付した例である。すると、メインジャンルに対して、さらにサブジャンルの項目が表れ、ユーザは、サブジャンルの分類を指定することもできる。サブジャンルの分類を指定するときは、所望の項目（スポーツニュース、野球、サッカー・・・など）を選択し、例えばリモートコントローラ４００の決定ボタンをプレスことで、分類項目が設定される。
【００８３】
図１２は、ジャンルの分類項目を設定した後、番組表の表示形態を設定するためのメニューの例である。このメニューでは、例えば図６で説明したように、番組情報記述セルをどのように表示するかを設定することができる。例えば図６で説明したように、番組情報記述セルが表示されることをユーザが希望するならば、チェック項目の月曜日〜日曜日にチェックマークを付す。さらに、チェック項目「毎日」、「月〜土」、「お好み」にチェックマークを付す。最後にリモートコントローラ４００の決定ボタンがプレスされる。これにより、番組表では、図６で示したような項目が表示される。
【００８４】
図１３は、表示器として携帯端末７００が利用される他の実施形態を示している。上記の説明では、テレビジョン装置１００１の表示器１３４の画面の番組表が表示された。しかしテレビジョン装置１００１は、図１で説明したように携帯端末７００と相互通信が可能のである。そこで、番組表を携帯端末７００の画面で表示し、ここで所望の番組をユーザが選択し、選択した結果（番組情報）をテレビジョン装置１００１に送信するようにしてもよい。
【００８５】
図１４は、番組表の表示形態としてさらに他の例を示す。表示形態制御部２３１２のレイアウト部２３５６の制御に基づいて、番組表のレイアウトが変更（若しくは切換え）された場合の表示例を示している。
【００８６】
この番組表の表示モードを得るためには、例えば図１０に示した画面の「サブメニュー」がカーソルにより選択され、決定ボタンがプッシュされる。なお、この図１４の番組表の表示を得るためには、さらに他の方法であってもよいことは勿論である。
【００８７】
この実施例は、表示器１３４の画面の表示領域１４４２に番組表の種類を示す「週間番組表」が表示される。また番組を提供する「チャンネル及びテレビ局名」、「ジャンル」が表示される。図１４の番組表のジャンルは、例えば「ドラマ」である。そして表示器１３４の画面の表示領域１４４２には、月、火、・・・・  木、金、土、日が表示され、表示領域１４４３には、各曜日の日付が表示される。
【００８８】
また表示器１３４の画面の左側の列（領域１４３２）と、右側の列（領域１４３３）には、番組の時間帯を表す時刻が記述されている。各チャンネルの下部に延在するそれぞれのカラムには、時間帯に応じて番組情報が記述されている。この番組表においても、下部の領域１４３４には、操作ガイドが表示される。上記した図１４の番組表であると、空欄の番組情報記述セル数が多くなる。
【００８９】
図１５は、番組表の表示形態としてさらに他の例を示す。表示形態制御部２３１２のレイアウト部２３５６の制御に基づいて、番組表のレイアウトが変更（若しくは切換え）された場合の表示例を示している。
【００９０】
この番組表の表示モードを得るためには、例えば図１０に示した画面の「サブメニュー」がカーソルにより選択され、決定ボタンがプッシュされる。なお、この図１４の番組表の表示を得るためには、さらに他の方法であってもよいことは勿論である。
【００９１】
この実施例は、例えば放送種別とジャンル別を組み合わせて番組をソートし、日時順に配列した番組表である。
【００９２】
表示器１３４の画面の上部の表示領域１４４５に、例えば放送種別を示すために「地上放送番組表」、「ドラマ」が記述される。またこの表示領域１４４５に、表示されている番組表の日付が表示される。図１５の例であると、１２月１５日が示され、１２月１５日の番組表であることを示している。また、表示領域１４３１には、複数のチャンネル番号が左から右に記述され、表示領域１４３１の下側の表示領域１４３２には、チャンネル番号に対応してたとえば放送局名が表示される。表示器１３４の画面の左側の列（領域１４３２）と、右側の列（領域１４３３）には、番組の時間帯を表す時刻が記述されている。各チャンネルの下部に延在するそれぞれのカラムには、時間帯に応じて番組情報が記述されている。この番組表においても、下部の領域１４３４には、操作ガイドが表示される。上記した図１５の番組表であると、空欄の番組情報記述セルの数が多くなる。
【００９３】
図１６は、再生形態制御部２３２の制御に基づいて、レジューム再生が行われるときの動作例を示す。本電子機器は、重ね表示処理部２３６２と、展開表示処理部２３６３を有することを図８において説明した。しかしさらにレジューム再生機能とレジューム位置表示機能が追加されてもよい。
【００９４】
重ね番組情報記述セル１３８５は、カーソルにより指定され、リモートコントローラ４００の再生ボタンがプッシュされると、例えば例１のように複数の番組情報記述セルａ１−ａ４が展開表示される。このとき、当該番組が途中まで視聴済みであった場合、展開された番組情報記述セルａ１−ａ４上に再生終端を示すインジケータ１３８６を示すことができる。この場合、レジューム再生しますか？  というメッセージと、経過時間情報と、操作ガイドがポップアップ画像として表示されてもよい。図１６の例ｅｘ０１では、４５分再生済みしていることの時間情報、レジューム再生に同意する場合と同意しない場合の操作ボタンのマークが表示される。図１６の例ｅｘ０２では、第２話まで再生済みしていることの時間情報、レジューム再生に同意する場合と同意しない場合の操作ボタンのマークが表示される。
【００９５】
マークは、図１６の例であると白の四角のボタンと、白の丸のボタンが示されているがこれに限定されるものではなく、アルファベット或いは数字などでもよい。
【００９６】
上記したように本装置は、例えば、同一シリーズ番組に関しての番組情報をそれぞれ記述した複数の番組情報記述セルが存在する場合は、当該複数の番組情報記述セルを重ねて表示する重ね表示処理部２３６２と、前記重ね状態を展開して表示する展開表示処理部２３６３と、前記重ね表示と展開表示を切換える切換え部２３６１と、を備える。また、本装置は、レジューム再生に関する表示を行うことができる。レジューム再生の開始位置は、１つの番組内で時間単位による開始位置表示が可能である（例ｅｘ０１）。またはレジューム再生の開始位置は、展開表示された番組単位での開始位置表示が可能である（例ｅｘ０２）。また、番組単位と時間単位による開始位置表示が同時に実行されてもよい。このような表示は、例えば長編ドラマを異なる日に分けて視聴する場合には利便性がよい。
【００９７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。
【００９８】
例えば、過去番組情報を処理するコンピュータ読み取り可能な情報記憶媒体に格納されるプログラムの基本概念は、以下のように記述してもよい。即ち、前記プログラムは、番組情報を参照して複数の番組をジャンル別に分類するインストラクションと、ジャンル別に分類された複数の番組を放送の曜日別に分類するインストラクションとを有し、さらに、指定されたジャンルの番組表を表示するためのデータ制御を行うために、前記曜日別に分類された複数の番組の番組情報記述セルを、表示器の曜日別の表示領域に仕分けするインストラクションと、指定された曜日の表示領域の番組情報記述セルがスクロールされるときは他の曜日の表示領域の番組情報記述セルの配置が静止した状態で表示されるようにするインストラクションと、を備える。
【００９９】
又前記プログラムは、１つの前記番組情報記述セルに記述される文字数が所定の行数内の収まるように編集するインストラクションを備える。また上記のプログラムを格納した情報記憶媒体（磁気ディスク、光ディスク、半導体メモリなど）であっても本発明の範疇である。さらにまた、上記したプログラムを送信受信することも本発明の範疇である。
【０１００】
また上記した番組情報及び番組情報記述セルは、多種の言語で作成されて記憶部に準備されてもよい。そしてユーザにより、番組情報及び番組情報記述セルは、表示状態が所望の言語に切換えられてもよいことは勿論である。またこのときは、オーディオ出力される音声も表示言語と同じ言語が出力されるように構成してもよい。つまり本装置は、マルチリンガルの装置であってもよい。
【符号の説明】
【０１０１】
１００１・・・テレビジョン装置、１３４・・・表示器、２００・・・制御部、２１２・・・表示処理部、２３１・・・番組情報処理部、２３２・・・自動記録装置、２３３・・・再生形態制御部、４００・・・リモートコントローラ、７００・・・携帯端末、２３１１・・・番組情報分類部、２３１２・・・表示形態制御部、２３２２・・・ＥＰＧデータ取得部、２３２３・・・ジャンル分類部、２３３２・・・曜日分類部、２３３３・・・毎日放送分類部。月曜〜土曜放送分類部２３３４、２３３７・・・お好み指定放送分類部、２３４０・・・時系列及び放送種別配列部、２３５１・・・複数ジャンル名出力部、２３５２・・・番組情報編集出力部、２３５６・・・レイアウト部、２３５７・・・スクロール部、２３５８・・・切換え制御部、２３６１・・・切換え部、２３６２・・・重ね表示処理部、２３６３・・・展開表示処理部。
【図１】
0006290109.tif 000002
【図２】
0006290109.tif 000003
【図３】
0006290109.tif 000004
【図４】
0006290109.tif 000005
【図５】
0006290109.tif 000006
【図６】
0006290109.tif 000007
【図７】
0006290109.tif 000008
【図８】
0006290109.tif 000009
【図９】
0006290109.tif 000010
【図１０】
0006290109.tif 000011
【図１１】
0006290109.tif 000012
【図１２】
0006290109.tif 000013
【図１３】
0006290109.tif 000014
【図１４】
0006290109.tif 000015
【図１５】
0006290109.tif 000016
【図１６】
0006290109.tif 000017